(57)【要約】      （修正有）【課題】使用機能を増したマスクを提供する。【解決手段】マスク本体内に少なくとも一つ以上の化合層４の構造を設け、該マスクに通気性のある外部保護層１、内部保護層３、及び外部保護層と内部保護層の間の通気濾過層２を設け、化合層の繊維は多元酸誘導体を架橋剤として繊維とグラフト反応させ、並びにナノ被覆技術でその他の精油化合物（例えば芳香化合物）で繊維表面を改質加工してなり、且つ化合層を必要に応じて各層の間に設置するか、化合層を外部保護層、内部保護層或いは通気濾過層の表面で直接合成し、化合層にマスク内部で複合式機能を具備させ、例えば、吸水、臭い吸収、芳香、人体に対する治療、抗菌、防虫等の特性を具備させ、マスクの使用機能を増した。【選択図】図２
0003145628.tif 000002
【実用新案登録請求の範囲】
【請求項１】
マスク内部の中間層に少なくとも一つの通気化合層が挿入され、マスク本体が通気性の外部保護層と内部保護層の間に通気性の濾過層を設け、外部保護層と内部保護層が繊維布で形成され、該濾過層が静電高密度濾過繊維で形成され、各層の間に中間層が形成されたマスクにおいて、
該マスク内部の中間層に、多元酸を架橋剤として他の化合物と繊維化合反応させてなる化合層が設けられたことを特徴とする、マスク。
【請求項２】
請求項１記載のマスクにおいて、該化合層が該外部保護層と該濾過層の間、及び又は、該濾過層と該内部保護層の間に設けられ、該化合層の化合物がポリエチレン、ポリプロピレン、ナイロン或いはセルロース織物を多元酸化合物で処理したものであることを特徴とする、マスク。
【請求項３】
請求項１記載のマスクにおいて、該化合層の化合物がクエン酸或いはポリプロピレン酸を架橋剤として精油芳香分子、シクロデキストリン複合物の反応物で、ポリエチレン、ポリプロピレン、ナイロン或いはセルロース織物を処理したものとされるか、クエン酸或いはポリプロピレン酸を架橋剤として人体治療効果のある薬物、シクロデキストリン複合物の反応物で、ポリエチレン、ポリプロピレン、ナイロン或いはセルロース織物を処理したものとされるか、クエン酸或いはポリプロピレン酸を架橋剤として抗菌剤、防虫剤、シクロデキストリン複合物の反応物で、ポリエチレン、ポリプロピレン、ナイロン或いはセルロース織物を処理したものとされることを特徴とする、マスク。
【請求項４】
請求項１記載のマスクにおいて、該マスクの外部保護層、濾過層、内部保護層の少なくともいずれか一層の表面に、多元酸を架橋剤とし、化合物と繊維化合反応させてなる化合層が合成されたことを特徴とする、マスク。
【考案の詳細な説明】
【技術分野】
【０００１】
本考案は一種のマスクの構造に係り、特に、マスク本体内に化合層の構造を設け、該化合層の繊維は多元酸誘導体を架橋剤とし、更にナノ被覆技術でその他の化合物により該繊維表面を改質加工して形成し、該化合層にマスク内部で複合式機能を具備させ、例えば、吸水、臭い吸収、芳香、人体に対する治療、抗菌、防虫等の特性を具備させ、マスクの使用機能を増したマスクに関する。
【背景技術】
【０００２】
非典型肺炎（ＳＡＲＳ）の影響で、人々は個人及び居住環境の衛生を重視するようになり、生活周辺の環境衛生について理解を深めるようになった。すなわち、生活環境には多くの細菌、ウイルスが存在し、空気中にも浮遊しており、近距離での接触、会話も細菌、ウイルスを空気中に四散させ、空気中に致命的な危険を存在させることになる。ゆえに、平時に日常生活において衛生に注意を払い、空気中の細菌或いはウイルスに感染するのを防止すべきである。しかし、病院の医療関係者は、病院の空気中には細菌、ウイルスのほか、各種の伝染病、例えば肺結核、腸ウイルスが存在し得るほか、薬水や薬剤の臭いがあり、付着したり鼻や口から人体に侵入しやすい。このため医療関係者のほとんどはマスクを使用して個人の衛生と安全を維持し、また、病院を出入りする患者や家族もマスクを装着して感染を防止している。このほか、清掃員はゴミを捨てたり、掃除をしたりする時にもマスクを装着し、異臭を吸入するのを防止する。また、食品工場の生産ライン、レストランの従業員なども、製造時の衛生のためにマスクを装着する。また、オートバイに乗車する時、排気ガスを吸入するのを防止するためにマスクを装着する。こうしてマスクを装着する人はますます多くなり、マスクの使用率は大幅にアップしている。
【０００３】
しかし、マスク装着後、欠伸やくしゃみをする時、いずれも唾液がマスクの内層に付着し、呼吸する時に、不快な臭いを感じることがあり、これが多くのマスク使用者の共通の問題となっている。病院では衛生と使用の安全を考慮し、消毒、殺菌を行なうが、消毒殺菌用の薬剤の匂いが充満した場所では、マスクを着用しても不快感を感じたり、目眩や嘔吐を引き起こすことがある。すなわち、マスクの使用は未だ以下のような多くの欠点と問題を有している。
（１）医療用の不織布製のマスクは、不織布が石油を精錬したポリマー及び化工原料で製造され、通気効果は良好であるが、製造過程でプラスチックの異臭が残留しやすく、マスクを着用使用する時、プラスチックの異臭のために使用者に不快感を与えやすい。
（２）綿布製のマスクはプラスチックの異臭はないが、濾過効果が低く、除臭及び吸水の機能も強くなく、且つ唾が溜まり異臭を発生しやすく、使用者に不快感を与える。
（３）市販されているほとんどの使い捨てマスクは、空気中の異臭に対して吸着或いは遮断の機能に欠け、二つ、三つのマスクを装着しても効果はよくなく、浪費を形成するのみならず、複数のマスクを同時に装着するのは快適でない。
【０００４】
ゆえに、如何に周知のマスクの使用時の衛生の問題と不便さの問題を解決するかが、当業者の研究開発の方向である。
【考案の開示】
【考案が解決しようとする課題】
【０００５】
本考案は上述の従来のマスクの問題と欠点を鑑み、芳香、吸水、通気等の機能を具備するマスクを提供するものである。
【０００６】
本考案の主要な目的は、マスクに通気効果を有する外部保護層、内部保護層、及び外部保護層と内部保護層の間の通気濾過層を設け、且つ化合層を必要に応じてこれらの層の間に設置するか、化合層を内部保護層、外部保護層、或いは内部保護層の表面で直截合成し、化合層の繊維は多元酸誘導体を架橋剤として繊維とグラフト反応させ、並びにナノ被覆技術でその他の精油化合物（例えば芳香化合物）で繊維表面を改質加工してなり、化合層にマスク内部で複合式機能を具備させ、例えば、吸水、臭い吸収、芳香、人体に対する治療、抗菌、防虫等の特性を具備させ、マスクの使用機能を増すことにある。
【課題を解決するための手段】
【０００７】
請求項１の考案は、マスク内部の中間層に少なくとも一つの通気化合層が挿入され、マスク本体が通気性の外部保護層と内部保護層の間に通気性の濾過層を設け、外部保護層と内部保護層が繊維布で形成され、該濾過層が静電高密度濾過繊維で形成され、各層の間に中間層が形成されたマスクにおいて、
該マスク内部の中間層に、多元酸を架橋剤として他の化合物と繊維化合反応させてなる化合層が設けられたことを特徴とする、マスクとしている。
請求項２の考案は、請求項１記載のマスクにおいて、該化合層が該外部保護層と該濾過層の間、及び又は、該濾過層と該内部保護層の間に設けられ、該化合層の化合物がポリエチレン、ポリプロピレン、ナイロン或いはセルロース織物を多元酸化合物で処理したものであることを特徴とする、マスクとしている。
請求項３の考案は、請求項１記載のマスクにおいて、該化合層の化合物がクエン酸或いはポリプロピレン酸を架橋剤として精油芳香分子、シクロデキストリン複合物の反応物で、ポリエチレン、ポリプロピレン、ナイロン或いはセルロース織物を処理したものとされるか、クエン酸或いはポリプロピレン酸を架橋剤として人体治療効果のある薬物、シクロデキストリン複合物の反応物で、ポリエチレン、ポリプロピレン、ナイロン或いはセルロース織物を処理したものとされるか、クエン酸或いはポリプロピレン酸を架橋剤として抗菌剤、防虫剤、シクロデキストリン複合物の反応物で、ポリエチレン、ポリプロピレン、ナイロン或いはセルロース織物を処理したものとされることを特徴とする、マスクとしている。
請求項４の考案は、請求項１記載のマスクにおいて、該マスクの外部保護層、濾過層、内部保護層の少なくともいずれか一層の表面に、多元酸を架橋剤とし、化合物と繊維化合反応させてなる化合層が合成されたことを特徴とする、マスクとしている。
【考案の効果】
【０００８】
本考案はマスク内部に化合層を加え、化合層中の繊維は多元酸を架橋剤とし、さらにその他の化合物、例えばシクロデキストリン複合物と結合してなるものとし、これにより、マスクに芳香分子放出の機能を具備させていることが、最も主要な請求の重点である。該マスクはまた吸水透湿の機能を有し、これによりマスク着用時に、化合層により唾液等分泌物を吸収し、並びにマスクが容易に異臭を発生せず、着用感がよい。
【考案を実施するための最良の形態】
【０００９】
図１、２、３、４は本考案の立体外観図、立体分解図、好ましい実施例の立体外観図、好ましい実施例の側視断面図である。これらの図から分かるように、本考案のマスクは、外部保護層１、濾過層２、内部保護層３、及び少なくとも一つの化合層４を構成要件として構成される。
【００１０】
該外部保護層１は撥水不織布で形成され、水分、液体或いは一般細菌、粉塵の侵入を防止し、上方の中間位置近くに折り曲げ可能な定型ブリッジ片１１が設けられ、並びに両側にそれぞれバンド１２が設けられる。
【００１１】
該濾過層２は静電高密度濾過繊維で形成され、細菌、ウイルス及び微細な粉塵を濾過、隔離する。
【００１２】
該内部保護層３は親水性超細繊維で形成され、快適で柔軟であり、且つ吸水機能を具備する。
【００１３】
上述の各層が組合せられる時には、外部保護層１の内側に順に濾過層２及び内部保護層３が付設され、化合層４は使用者の必要或いは設計の違いにより、外部保護層１と濾過層２の間、及び、濾過層２と内部保護層３の間の少なくとも一方に設けられる。これにより層状のマスクが形成され、更に折り畳まれて複数の層状とされ、並びにその周囲にシール辺１３処理がなされ、本考案のマスクが完成する。
【００１４】
本考案は一般の芳香後工程とは異なる。例えば、伝統的な工程のマイクロカプセルコーティング或いは精油スプレーコーティングにより形成される芳香効果は容易に散逸する。ゆえに、本考案は化合層４の繊維を、多元酸を架橋剤とし、並びに該繊維とグラフト反応させて、更に、ナノコーティング技術でその他の化合物により該繊維表面を改質加工し、例えば芳香化合物を使用することで、化合層４を芳香分子を放出する機能を具備する機能性繊維で構成し、これによりマスクの芳香時効を延長する。
【００１５】
このほか、該化合層４はマスクの外部保護層１と濾過層２の間、及び又は濾過層２と内部保護層３の間に設けられるか、或いは、化合層４は外部保護層１、濾過層２、内部保護層３のいずれかの表面に直接合成され、マスクがバンド１２を耳朶に掛けて装着される時、上述の層状のマスクが使用者の口と鼻の外部を被覆し、さらに、定型ブリッジ片１１が使用者の鼻梁に合わせて折り曲げられて鼻梁上に密着する。
【００１６】
口及び鼻からの唾液等の分泌物はマスクにより吸収され、並びに繊維層状のマスク内部の濾過層２により濾過された後、気体は外部に排出され、水分は内部保護層３、化合層４、濾過層２に吸収され、唾液等の分泌物がマスク内側に残留して蓄積して異臭を生じるのを防止できる。多元酸化合物でポリエステル或いはナイロン繊維を処理することで、化合層４を構成し、化合層４の繊維表面に良好な吸水透湿性を付与して吸湿機能を増し、長時間着用後の水気の残存率を低くし、着用時のドライ感を増す。さらに多元酸の誘導体とポリエチレン、ポリプロピレン、ナイロン或いはセルロース織物の表面に処理を行ない、化合層４を形成することで、化合層４の繊維に吸水透湿の性能を具備させて、低廉で、持久性がよく、加工工程が簡便である効果を達成できる。
【００１７】
さらに、上述の化合層４は多元酸とシクロデキストリン複合物を結合させた反応物で構成した多元酸誘導体を利用でき、この多元酸誘導体は、ポリプロピレン酸とシクロデキストリン複合物の反応物とされ得る。そのうち、シクロデキストリン複合物はシクロデキストリンと精油の複合物であり、すなわち多元酸とシクロデキストリン複合物（精油とシクロデキストリンの複合物）、ポリエチレン、ポリプロピレン、ナイロン或いはセルロース織物を反応させ、化合層４に長期間芳香分子を放出する機能を具備させる。また、各種精油複合物の具備するアロマ機能を利用し、化合層４にリラックス、安眠などの効果をもたせ、或いは疾病、例えば、鼻炎やアレルギー等の症状を緩和するアロマテラピー機能を具備させる。上述の精油種類は天然、人工、それらの混合物とされ得る。このほか多元酸誘導体は、そのシクロデキストリンと治療効果のある薬物を結合させ、さらに、ポリエチレン、ナイロン或いはセルロース織物と反応させ、化合層４に人体に対する治療効果を具備させることができる。
【００１８】
そのうち、シクロデキストリン複合物はシクロデキストリンと抗菌剤、防虫剤の複合物とでき、多元酸とシクロデキストリン複合物（シクロデキストリンと抗菌剤、防虫剤の複合物）、ポリエチレン、ナイロン或いはセルロース織物を反応させて、化合層４に抗菌、防虫の機能を具備させることができる。且つ、シクロデキストリンと防虫剤の複合物は、ジエチルトルアマイド，デート（Ｄｉｅｄｔｈｙｏｌｔｏｌｕａｍｉｄｅ，Ｄｅｅｔ）／シクロデキストリン複合物，エスバイオスリン（Ｅｓｂｉｏｔｈｒｉｎ）／シクロデキストリン複合物，シクロプロパンカルボキシレート誘導体／シクロデキストリン複合物とされ得る。
【００１９】
加工された化合層４を内部保護層３、濾過層２の間、及び又は、濾過層２と外部保護層１の間に挿入することで、化合層４が、多元酸を架橋剤としシクロデキストリン複合物と反応させてなる繊維であり、すなわち、ナノコーティング技術で表面改質加工された繊維であることから、吸水、臭い吸収、長期性芳香、防虫の特性を有し、マスクを使用する時にさわやかで快適であり、異臭の発生する状況を減らせる。
【００２０】
図２、５、６、７は本考案の立体分解図、本考案の別の実施例の側視断面図、別の実施例の立体分解図、さらに別の実施例の側視断面図である。これらの図から分かるように、本考案のマスクは異なる積層設計とされ得る。例えば、３層式では外部保護層１、内部保護層３の間に１層の濾過層２が設けられ、４層式では外部保護層１、内部保護層３の間に２層の濾過層２が設けられると共に、外部保護層１と濾過層２の間、二層の濾過層２の間、濾過層２と内部保護層３の間にそれぞれ化合層４が加入され、マスクの濾過、防護作用が強化され、且つ各層が通気材質で形成され、密閉不通気の現象を発生しない。さらに、化合層４は多元酸を架橋剤とし、それぞれ異なるシクロデキストリン複合物と反応させてなる繊維で構成され、並びにマスクの外部保護層１、濾過層２、内部保護層３の間に介装されることで、吸水透湿効果、長期芳香等の特性を達成する。ゆえに使用状況により異なる積層形式を選択し得るが、いずれの場合にも、構成層間の化合層４の機能により使用者にさわやかで快適なマスクを提供でき、並びに異臭の発生する状況を減らせる。
【００２１】
このほか、以上に述べたことは本考案の好ましい実施例の説明に過ぎず、本考案の請求範囲を限定するものではない。本考案のマスクは化合層４を外部保護層１、濾過層２及び内部保護層３の間に介装するほか、化合層４を直接外部保護層１、濾過層２或いは内部保護層３の表面にて合成することも可能で、化合層４は多元酸を架橋剤とし、シクロデキストリンの異なる複合物と化合反応させればよく、すなわち、ナノコーティング技術により織物表面を改質加工する。ゆえに例えば前述の効果を達成する構造、装置は何れも本考案のカバー範囲にあり、このような簡単な修飾或いは同じ効果を達成する構造変化はいずれも本考案の請求範囲内に属する。
【００２２】
上述のマスクの構造は、実際の使用時に、以下のような各種の長所を有する。
（１）マスク内の化合層４が芳香分子を放出し、マスクの使用過程での異臭蓄積現象を防止し、化合層４が多元酸を架橋剤とし、さらに精油、シクロデキストリン複合物と反応させることで形成され、これによりマスクが芳香分子放出機能を具備し、マスク使用時のさわやかさ、快適さを増し、長期に芳香効果を提供する。
（２）マスクの層間に介装された化合層４が通気効果と、化合層４と濾過層２の多重濾過作用を有し、化合層４が多元酸を架橋剤とし、さらに精油、シクロデキストリン複合物と反応させるか、或いは人体治療効果のある薬物、シクロデキストリン複合物と反応させることで形成され、これにより、マスクが芳香を具備するか、或いは人体治療効果を具備し、マスクの安全、衛生、防護効果を高めている。
（３）マスクの層間に介装された化合層４、或いは各層表面に合成された化合層４が、多元酸とシクロデキストリン複合物の化合反応により形成され、吸水透湿性、芳香の特性を有し、マスクの実用機能を高めている。
【図面の簡単な説明】
【００２３】
【図１】本考案の立体外観図である。
【図２】本考案の立体分解図である。
【図３】本考案の好ましい実施例の立体外観図である。
【図４】本考案の好ましい実施例の側視断面図である。
【図５】本考案の別の実施例の側視断面図である。
【図６】本考案の別の実施例の立体分解図である。
【図７】本考案のさらに別の実施例の側視断面図である。
【符号の説明】
【００２４】
１  外部保護層
１１  定型ブリッジ片          １３  シール辺
１２  バンド
２  濾過層
３  内部保護層
４  化合層
【図１】
0003145628.tif 000003
【図２】
0003145628.tif 000004
【図３】
0003145628.tif 000005
【図４】
0003145628.tif 000006
【図５】
0003145628.tif 000007
【図６】
0003145628.tif 000008
【図７】
0003145628.tif 000009